【手続補正書】
【提出日】平成23年12月26日(2011.12.26)
【手続補正１】
【補正対象書類名】特許請求の範囲
【補正対象項目名】請求項１
【補正方法】変更
【補正の内容】
【請求項１】
（ａ）患者の顔を受容するためのアイピースと、
（ｂ）超音波トランスデューサに接触するとともに、第１液体を備える第１液体チャンバと、
（ｃ）前記超音波トランスデューサによって撮像される患者の眼に接触するとともに、第２液体を備える第２液体チャンバと、
（ｄ）前記第１チャンバと前記第２液体チャンバとを分離するバリアとを備える撮像装置において、
（Ｄ１）前記第２液体チャンバは、前記第２液体チャンバから前記第２液体を排出するためのポートを備えること、
（Ｄ２）前記バリアは前記液体に対して透過性であるが、前記第１及び第２液体の少なくとも一つの中にある選択された生物学的微生物に対しては不透過性であり、前記微生物はバクテリア、ウイルスおよび菌類のうちから選択されること、
（Ｄ３）前記第１及び第２チャンバは流体連通していないこと、
（Ｄ４）前記第１チャンバは、前記第１液体を前記第１液体チャンバから給排出するためのポートを備えること、及び
（Ｄ５）前記バリアは前記第１及び第２液体に対して不透過性を有すること
のうちの少なくとも一つが当てはまる、撮像装置。
【手続補正２】
【補正対象書類名】特許請求の範囲
【補正対象項目名】請求項２
【補正方法】変更
【補正の内容】
【請求項２】
（Ｄ１）が当てはまり、かつ前記第１及び第２液体は水であり、前記バリアはインピーダンスを有することなく音響エネルギーを通過させ、前記バリアの厚さは水中での音響波長未満であり、前記バリアの厚さは１０〜３０マイクロメートルの範囲内である、請求項１に記載の撮像装置。
【手続補正３】
【補正対象書類名】特許請求の範囲
【補正対象項目名】請求項３
【補正方法】変更
【補正の内容】
【請求項３】
（Ｄ２）が当てはまり、かつ前記第１及び第２液体は水であり、前記バリアはインピーダンスを有することなく音響エネルギーを通過させ、前記バリアの厚さは水中での音響波長未満であり、前記バリアの厚さは１０〜３０マイクロメートルの範囲内であり、前記バリアは、ポリマー及びオリゴマーのうち少なくとも何れか一つを含み、前記オリゴマーが、エチレン、マイラー、プロピレン、塩化ビニリデンおよびそれらの混合物のうちの少なくとも一種からなる、請求項１に記載の撮像装置。
【手続補正４】
【補正対象書類名】特許請求の範囲
【補正対象項目名】請求項４
【補正方法】変更
【補正の内容】
【請求項４】
超音波トランスデューサ、前記超音波トランスデューサを係合する可動キャリッジ、および前記キャリッジが沿って移動するガイドを備え、前記キャリッジ、前記超音波トランスデューサ、および前記ガイドが液体中に配置されている超音波アーク走査装置において、
前記ガイドおよび前記キャリッジのうちの少なくとも一方において複数の液体流路を備え、前記液体が、加圧されて前記液体流路を通って流れ、かつ前記ガイドと前記キャリッジとの間の選択された界面に沿って流体膜を形成することにより、前記選択された界面における前記ガイドと前記キャリッジとの間の距離が、前記加圧された液体の不在時よりも、前記加圧された液体の存在時におけるほうが大きいことを特徴とする、超音波アーク走査装置。
【手続補正５】
【補正対象書類名】明細書
【補正対象項目名】００６６
【補正方法】変更
【補正の内容】
【００６６】
流体ベアリング
ベアリング機構はアークスキャナの別の構成要素である。ベアリングの機能は、図４および図５において上述したような走査ヘッド位置決め装置によって位置決めされたアークガイドアセンブリに沿ったトランスデューサアセンブリの滑らかな動作を可能にすることである。好結果の走査は、通常、高周波超音波パルスの精度を生かすために、トランスデューサアセンブリが、湾曲したアークガイドアセンブリに沿って、ジッタまたはジャーク（加速度）がなく、滑らかに移動することを必要とする（物理学において、ジャークは加速度の変化率である。より正確には、加速度の時間微分、速度の二次微分または変位の三次微分）。
【手続補正６】
【補正対象書類名】明細書
【補正対象項目名】００８６
【補正方法】変更
【補正の内容】
【００８６】
図１０は、これらの要件を満たすアイピースの実施形態を示している。アイピースは、取り付けリング１００１と、眼部シールリング１００２とから成る。取り付けリング１００１は主要アークスキャナアセンブリに取り付けられており、典型的には、主要アークスキャナアセンブリの恒久的な部分である。ここに示されているように、取り付けリング１００１は、眼部シールリング１００２上に位置する取り付け機構１００７を受容し得るいくつかの取り付け溝１００６を有する。この実施形態において、取り付け機構１００７は取り付け溝１００６内に押し下げられ（１０１２）、次いで、適所に回転されて（１０１１）、眼部シールリング１００２を取り付け１００１に対してシールする機械的接続を形成して、漏水を防止する。これはバイオネット型接続としても知られている。取り付け機構１００７が適所に回転されると（１０１１）圧縮される封止リング１００５が存在してもよい。眼部シールリング１００２は、軟質ゴムまたは発泡体の成形フェイスシール１００３を有しており、フェイスシール１００３は、走査されるべき眼のまわりの典型的なヒト顔面に対して密封するように設計されている。眼部シールリング１００２もまた、上部にその給水管１００４と、下部に排水管とを有して示されている。密封された衛生バリア（図示せず）は、製造中に、眼部シールリング１００２の一部として形成され、典型的には、成形フェイスシール１００３が位置１００８で眼部シールリング１００２の本体に接続される場所に位置する。
【手続補正７】
【補正対象書類名】明細書
【補正対象項目名】００８８
【補正方法】変更
【補正の内容】
【００８８】
図１１は、また上述した実用要件を満たすアイピースの代替の実施形態を示す。アイピースは、取り付けリング１１０１と、眼部シールリング１１０２とから成る。取り付けリング１１０１は主要アークスキャナアセンブリに取り付けられており、典型的には、主要アークスキャナアセンブリの恒久的な部分である。ここに示されているように、取り付けリング１１０１は、眼部シールリング１１０２上に位置する取り付け機構１１０７を受容し得るいくつかの取り付け溝１１０６を有する。この実施形態において、取り付け機構１１０７は取り付け溝１１０６内に押し下げられ（１１１１）、次いで、適所にスナップ留めされて、眼部シールリング１１０２を取り付けリング１１０１に対してシールする機械的接続を形成して、漏水を防止する。これはまたスナップ式型接続としても知られている。取り付けリング１１０１上にはシール面１１０５が存在し、眼部シールリング１１０２上には、対応するシール面（図示せず）が存在し得る。前記対応するシール面は、取り付け機構１１０７が適所にスナップ留めされると、押し付けられる。眼部シールリング１１０２は、軟質ゴムまたは発泡体の成形フェイスシール１１０３を有しており、フェイスシール１１０３は、走査されるべき眼のまわりの典型的なヒト顔面に対して密封するように設計されている。眼部シールリング１１０２もまた、上部にその給水管１１０４と、下部に排水管とを有して示されている。密封された衛生バリア（図示せず）は、製造中に、眼部シールリング１１０２の一部として形成され、典型的には、成形フェイスシール１１０３が位置１１０８で眼部シールリングの本体８０２に接続される場所に位置する。